(57)【要約】【課題】ユーザが無理に印刷用紙を引き抜いても、用紙種類判別センサーを保持するための部材が損傷しないプリンタを提供する。【解決手段】プリンタは、筐体１内に設けられた給紙トレイ２と、給紙トレイ２上において搬送される用紙の種類を検出する用紙種類判別センサー３００と、用紙種類判別センサー３００を保持し、筐体１に対して回転可能に固定されたセンサー保持部材３０と、センサー保持部材３０の回転を抑制する回転抑制部材２２０とを備えている。【選択図】図１
2007119162.tif 000002
【特許請求の範囲】
【請求項１】
筐体内に設けられた給紙トレイと、
前記給紙トレイ上において搬送される用紙の種類を検出する用紙種類判別センサーと、
用紙種類判別センサーを保持し、前記筐体に対して回転可能に固定されたセンサー保持部材と、
前記センサー保持部材の回転を抑制する回転抑制部材とを備え、
前記回転抑制部材が前記筐体の上蓋に一体成形され、かつ、前記上蓋の主表面から垂直方向に延びるリブであり、
前記回転抑制部材と前記センサー保持部材と間に隙間を有する、プリンタ。
【請求項２】
筐体内に設けられた給紙トレイと、
前記給紙トレイ上において搬送される用紙の種類を検出する用紙種類判別センサーと、
用紙種類判別センサーを保持し、前記筐体に対して回転可能に固定されたセンサー保持部材と、
前記センサー保持部材の回転を抑制する回転抑制部材とを備えた、プリンタ。
【請求項３】
前記回転抑制部材が前記筐体の上蓋に一体成形された、請求項２に記載のプリンタ。
【請求項４】
前記回転抑制部材が前記上蓋の主表面から垂直方向に延びるリブである、請求項３に記載のプリンタ。
【請求項５】
前記回転抑制部材と前記センサー保持部材と間に隙間が形成されている、請求項２に記載のプリンタ。
【発明の詳細な説明】
【技術分野】
【０００１】
本発明は、用紙の種類を判別する用紙種類判別センサーを備えたプリンタに関するものである。
【背景技術】
【０００２】
従来から、用紙の種類を判別する用紙種類判別センサーを備えたプリンタが用いられている。以下、図６を用いて、従来の用紙種類判別センサーを備えたプリンタを説明する。
【０００３】
従来のプリンタは、筐体１を備えている。筐体１内には、可動式の給紙トレイ２と左右一対の側板３とが設けられている。給紙トレイ２と側板３とによって、給紙口４が形成されている。給紙口４内には、給紙ローラ５が配置されている。給紙口４と排紙口６との間には、送りローラ７、印刷部８、および排紙ローラ９が設けられている。給紙ローラ５、送りローラ７、および排紙ローラ９は、駆動モータ１０によって駆動される。なお、図６において、押さえローラ２３および２４が、それぞれ、送りローラ７および排紙ローラ９に印刷用紙１２を押し付けている。前述のような構成によって、プリンタ用紙送り機構が構成されている。
【０００４】
また、従来のプリンタにおいては、左右の側板３のそれぞれにセンサー支持シャフト６４が固定されている。センサー支持シャフト６４に印刷用紙１２の種類を判別する用紙種類判別センサー３００が取付けられている。また、用紙種類判別センサー３００は、センサー支持シャフト６４およびスプリング等によって支持されており、印刷用紙１２の印刷面に沿うように、僅かに回転可能である。
【０００５】
また、図６に示すように、従来の用紙種類判別センサーを備えたプリンタは、スプリング等の機能によって、印刷用紙１２に給紙ローラ５を押し付けた状態で、給紙ローラ５を回転させることにより、印刷用紙１２を送り出す。なお、用紙種類判別センサー３００は、発光部３２および受光部３３を有している。
【０００６】
前述の従来のプリンタによれば、印刷用紙１２の種類が判別されるときには、まず、用紙種類判別センサー３００の発光部３２から印刷用紙１２に光が照射される。それにより、光は、印刷用紙１２によって反射され、受光部３３に入射される。受光部３３は、入射された光の強度に応じた信号を、図示しない判別部に伝送する。判別部では印刷用紙１２の種類が判別される。その後、判別結果に基づいて、図示しない制御部が、印刷用紙１２に応じた印刷条件、たとえば、色の濃さを設定し、印刷部８等を制御する。その結果、印刷用紙１２には、その種類に応じた最良の印刷条件で印刷が行なわれる。
【特許文献１】特開２００５−２２１２２号公報
【発明の開示】
【発明が解決しようとする課題】
【０００７】
上記従来のプリンタによれば、印刷用紙１２が給紙トレイ２上を搬送されるときに、印刷用紙１２の詰まりが生じ、印刷用紙１２を搬送方向とは逆に引き抜かなければならない場合がある。この場合、ユーザが印刷用紙１２を引き抜くと、用紙種類判別センサー３００は、印刷用紙１２が引き抜かれる方向に、センサー支持シャフト６４まわりに回転してしまう。このとき、ユーザが無理に印刷用紙１２を引き抜くと、センサー支持シャフト６４が損傷してしまう。
【０００８】
本発明は、上述の問題に鑑みてなされたものであり、その目的は、ユーザが無理に印刷用紙を引き抜いても、用紙種類判別センサーを保持するための部材が損傷しないプリンタを提供することである。
【課題を解決するための手段】
【０００９】
本発明のプリンタは、筐体内に設けられた給紙トレイと、給紙トレイ上において搬送される用紙の種類を検出する用紙種類判別センサーと、用紙種類判別センサーを保持し、筐体に対して回転可能に固定されたセンサー保持部材と、センサー保持部材の回転を抑制する回転抑制部材とを備えている。また、回転抑制部材が、筐体の上蓋に一体成形され、かつ、上蓋の主表面から垂直方向に延びるリブである。また、回転抑制部材とセンサー保持部材と間には隙間が形成されている。
【００１０】
上記のプリンタによれば、以下のプリンタによって得られる効果のすべてを得ることができる。
【００１１】
本発明のプリンタは、筐体内に設けられた給紙トレイと、給紙トレイ上において搬送される用紙の種類を検出する用紙種類判別センサーと、用紙種類判別センサーを保持し、筐体に対して回転可能に固定されたセンサー保持部材と、センサー保持部材の回転を抑制する回転抑制部材とを備えている。
【００１２】
上記の構成によれば、用紙の引き抜きに起因した強制的な逆回転によって、センサー保持部材が損傷することが防止される。
【００１３】
また、前述の回転抑制部材が筐体の上蓋に一体成形されていれば、製造工程を増加させることなく、プリンタに回転抑制部材を付加することができる。
【００１４】
また、回転抑制部材が上蓋の主表面から垂直方向に延びるリブであれば、回転抑制部材が塊状である場合に比較して、回転抑制部材の成形後の形状が良好になる。
【００１５】
また、回転抑制部材とセンサー保持部材と間に隙間が形成されていれば、センサー保持部材の僅かな動きが許容されるため、用紙の搬送がスムーズに行なわれる。
【発明を実施するための最良の形態】
【００１６】
以下、図面を参照しながら、本発明の実施の形態のプリンタを説明する。なお、本実施の形態のプリンタの基本的構成は、前述の従来のプリンタの基本的構成と同様であるため、特に必要がなければ、その説明は繰り返さない。
【００１７】
本実施の形態のプリンタにおいては、図１に示されるように、筐体１内に給紙トレイ２が設けられている。給紙トレイ２に沿って、印刷用紙１２が、ユーザによって、給紙口４から矢印Ｐで示す方向にプリンタ内へ挿入される。プリンタ内へ挿入された印刷用紙１２は、センサー保持部材３０と給紙トレイ２との間の隙間に挿入される。このとき、センサー保持部材３０は、弾性部材（たとえば、スプリング）によって支持されているため、印刷用紙１２を給紙トレイ２に対してある程度押し付ける。
【００１８】
その後、印刷が開始されるときには、印刷用紙１２は、従来技術において説明された給紙ローラ５等の回転によって、給紙トレイ２上において搬送され、従来技術で説明された印刷部８へと引き込まれる。印刷用紙１２の搬送中において、印刷用紙１２に向けて、発光部３２から光が出射される。その光を印刷用紙１２が反射する。反射された光は、受光部３３によって受け取られる。受光部３３が受けた光の強度に応じて、制御部は、印刷用紙の種類を判別する。また、前述の用紙種類判別センサー３００は、センサー保持部材３０によって保持されている。センサー保持部材３０は、センサー支持シャフト６４周りに回転可能にスプリング等の弾性体によって支持されている。センサー支持シャフト６４は筐体１に固定されている。
【００１９】
一方、プリンタは、図１に示すように、上蓋１２０を備えている。上蓋１２０は、筐体１に対して、開閉可能に取付けられている。上蓋１２０は、プラスチック成型品である。また、図２および図３に示すように、上蓋１２０の内側であって、センサー保持部材３０の回転経路において、センサー保持部材３０の回転を抑制する回転抑制部材２２０が設けられている。この回転抑制部材２２０は、筐体１の上蓋１２０に一体成形されており、上蓋１２０の主表面から垂直方向に延びるリブである。ただし、図４に示すように、回転抑制部材２２０とセンサー保持部材３０と間には隙間Ｘが形成されている。
【００２０】
上記本実施の形態のプリンタにおいては、図５に示すように、ユーザが、印刷用紙１２を矢印Ｋで示す方向に引き抜こうとしたときに、印刷用紙１２とセンサー保持部材３０との間の摩擦力によって、センサー保持部材３０が逆向き（図５において矢印Ｒで示す向き）に回転する回転力がセンサー保持部材３０に加えられる。しかしながら、センサー保持部材３０の回転は、回転抑制部材２２０によって拘束されているため、センサー保持部材３０のセンサー支持シャフト６４に無理な逆回転力が加えられることが防止されている。したがって、センサー保持部材３０のセンサー支持シャフト６４が、ユーザの無理な印刷用紙１２の引き抜きによって損傷することが防止されている。
【００２１】
また、前述の回転抑制部材２２０が筐体の上蓋１２０に一体成形されている。そのため、回転抑制部材２２０がプリンタに付加されても、回転抑制部材２２０が上蓋１２０の一部になるような設計がなされてさえいれば、製造工程を増加させることなく、プリンタに回転抑制部材２２０を付加することができる。また、回転抑制部材２２０が上蓋１２０の主表面から垂直方向に延びるリブである。そのため、回転抑制部材２２０が塊状である場合に形成されるような上蓋１２０の表面の傾斜が発生しない。そのため、回転抑制部材２２０が成形された後の形状が良好になっている。
【００２２】
また、回転抑制部材２２０とセンサー保持部材３０と間に隙間Ｘが形成されているため、センサー保持部材３０の僅かな動きが許容される。その結果、印刷用紙の搬送がスムーズに行なわれる。
【００２３】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内のすべての変更が含まれることが意図される。
【図面の簡単な説明】
【００２４】
【図１】実施の形態の用紙種類判別センサーを備えたプリンタの概略構成図である。
【図２】実施の形態のプリンタの上蓋の斜視図である。
【図３】実施の形態のプリンタの上蓋に設けられた回転抑制部材の拡大図である。
【図４】実施の形態のプリンタのセンサー保持部材の通常の状態を示す図である。
【図５】実施の形態のプリンタのセンサー保持部材の印刷用紙が引き抜かれているときの状態を示す図である。
【図６】従来の用紙種類判別センサーを備えたプリンタの概略構成図である。
【符号の説明】
【００２５】
１  筐体、２  給紙トレイ、３  側板、４  給紙口、５  給紙ローラ、６  排紙口、７  ローラ、８  印刷部、９  排紙ローラ、１０  駆動モータ、１２  印刷用紙、２２  ローラ、３０  センサー保持部材、３２  発光部、３３  受光部、６４  センサー支持シャフト、１２０  上蓋、２２０  回転抑制部材、３００  用紙種類判別センサー。
【図１】
2007119162.tif 000003
【図２】
2007119162.tif 000004
【図３】
2007119162.tif 000005
【図４】
2007119162.tif 000006
【図５】
2007119162.tif 000007
【図６】
2007119162.tif 000008